(57)【要約】【課題】  カラーマッチングを行う際に、スキャナメタメリズムによって原稿種が変わると良好なカラーマッチングが行えない。【解決手段】  ターゲットの測色値よりも無彩色なカラーを出力するカラールックアップテーブルを作成する。【選択図】  図３
2008312117.tif 000002
【特許請求の範囲】
【請求項１】
第一の色空間から第二の色空間への色変換を規定するルックアップテーブルを参照し、
予め定めた色票の第一の色空間値を有する手段と、
前記予め定めた色票の第二の色空間値を有する手段と、
前記予め定めた色票の第二の色空間値の彩度よりも小さい値を出力するように前記ルックアップテーブルの要素を調整する調整手段と、
を有することを特徴とする色変換ルックアップテーブル作成装置。
【請求項２】
前記調整手段において、
調整範囲はグレーであることを特徴とする請求項１記載の色変換ルックアップテーブル作成装置。
【請求項３】
第一の色空間から第二の色空間への色変換を規定するルックアップテーブルを参照し、
予め定めた色票の第一の色空間値を有する工程と、
前記予め定めた色票の第二の色空間値を有する工程と、
前記予め定めた色票の第二の色空間値の彩度よりも小さい値を出力するように前記ルックアップテーブルの要素を調整する調整工程と、
を有することを特徴とする色変換ルックアップテーブル作成方法。
【請求項４】
前記調整工程において、
調整範囲はグレーであることを特徴とする請求項３記載の色変換ルックアップテーブル作成方法。
【発明の詳細な説明】
【技術分野】
【０００１】
本発明は、スキャナデバイスカラーをL*a*b*のような標準色空間に変換するカラールックアップテーブルの作成方法および装置に関する。
【背景技術】
【０００２】
一般的なカラーマッチングにおいて、スキャナで読み取ったRGBデータはデバイスに依存しない標準色空間に変換される。標準色空間は、ICC(International Color Consortium)プロファイルで規定されているように、D50光源を基準としたXYZ、および、L*a*b*値である。また、その変換方法としては、ルックアップテーブル方式がよく用いられる。
【０００３】
スキャナプロファイルは、プロファイル作成チャートを読み取ったスキャナデバイスRGBデータと、各色票の測色値（L*a*b*）に基づいて、RGBからL*a*b*に変換するルックアップテーブルを最適化することによって作成される。各色票の測色値は分光測色器などで計測することで得ることができる。
【０００４】
カラーマッチングを行う際に、人間の視覚特性上、グレーバランスの崩れは他の色相の色に比べて色差を敏感に感じてしまう。グレーバランスの精度向上のために、特許文献１のようなルックアップテーブルの調整方法がある。
【特許文献１】特開2001-320594号公報
【発明の開示】
【発明が解決しようとする課題】
【０００５】
印刷原稿と銀塩写真原稿のように、原稿種が異なる色票をスキャンした時に、その色票の測色値は同じ値でも、スキャンすると異なるデバイスRGBとしてスキャンされるため、同じL*a*b*にスキャナプロファイルで変換できないことがある。この現象はスキャナメタメリズムと呼ばれている。
【０００６】
スキャナメタメリズムが起こる原因として、冷陰極蛍光ランプ（CCFL：Cold Cathode Fluorescent Lamp）を光源とする縮小光学系のスキャナを例に説明する。L*a*b*で規定されている光源はD50光源であるが、スキャナはCCFL光源なので、分光特性が異なる。（図1）また、カラーフィルタを通したスキャナセンサの分光感度特性と、XYZの感度特性も異なる。（図２）
このように、スキャナにおいては、測色値が同じカラーパッチであっても、原稿種が異なるとスキャナメタメリズムによって異なるデバイスRGBとしてスキャンされてしまう。スキャナメタメリズムが起こるような複数種類の原稿に対して、一つのスキャナプロファイルでカラーマッチングを行うと、同じ測色値の色票であっても異なるカラーとして変換されてしまう。特に、グレーにおいては、人間の目には色差の違いを敏感に感じる。
【０００７】
本発明は、上述の問題を解決するためのものであり、スキャナメタメリズムによって異なる色としてスキャンされたデバイスカラーであっても、良好なカラーを出力するカラールックアップテーブルを提供することを目的とする。
【課題を解決するための手段】
【０００８】
ターゲットの測色値よりも無彩色なカラーを出力するカラールックアップテーブルを作成する。
【発明の効果】
【０００９】
本発明によれば、スキャナメタメリズムを起こすような複数種類の原稿に対して、良好なグレーバランスを得ることができる。
【発明を実施するための最良の形態】
【００１０】
次に、本発明の詳細を実施例の記述に従って説明する。
【実施例１】
【００１１】
以下、図面を用いて本発明の実施の形態について説明する。
【００１２】
図１は本発明における画像処理装置を示した図である。色変換部101はルックアップテーブル102を参照して、デバイスRGBを標準色空間であるL*a*b*に変換する。本形態では標準色空間をL*a*b*としたがXYZ色空間でもsRGBでも構わない。
【００１３】
図２はスキャナプロファイル作成用の色票301をスキャナ202でスキャンし、PC201でデバイスRGBを得る方法を示した図である。所定の動作モードで色票301をスキャンし、PC201で色票のデバイスRGBデータ302を得る。得られたデバイスRGBデータ302と色票の測色値303を用いて、仮のスキャナプロファイルを作成する。図３は色票301の測色値の例を示した図である。
【００１４】
図４は色票のスキャナデバイスRGBを得ることを表した図であり、
図５は色票の測色値を表した図である。
【００１５】
同様にして、スキャナプロファイルとは分光反射特性の異なる原稿で作成された色票のデバイスRGBと測色値を得ておく。例えば、その原稿は印刷原稿である。
【００１６】
次に、作成した仮のプロファイルを用いてグレー領域を調整する方法について説明する。
【００１７】
図６はプロファイルを構成する要素をL*a*b*空間にプロットした図である。図７はこのプロファイルのグレー領域だけを抜き出したものである。印刷原稿のグレーの色票を、作成した仮のプロファイルで変換した時のL*a*b*と、測色値との関係を図に示す。黒丸で表した要素401は仮のプロファイルを構成する各要素のL*a*b*空間での座標を表している。測色値はそれぞれ同じ値である銀塩写真のグレーと印刷原稿のグレーを、スキャナ202でスキャンし、スキャンして得たデバイスRGBを仮のプロファイルで変換したときのL*a*b*を銀塩グレー403、印刷原稿グレー404として表す。銀塩グレー403と印刷原稿グレー404はスキャナメタメリズムによって異なるデバイスRGBとしてスキャンされる。異なるデバイスRGBになることで、スキャナプロファイルによって変換された値も図に示されるように異なる。この二つの原稿種のグレーを測色値に一致するようにプロファイルを作成するには、階調性を無くする方法がある。しかし、階調性のない画像は一般的に好ましくないものとされている。階調性は保ったまま好ましいグレーに変換できるようなプロファイルの調整方法について次に説明する。
【００１８】
グレー領域のプロファイルの各要素を図８に示すようにa*b*平面の原点方向に動かす。その具体的な方法は、プロファイルの要素の彩度の値に係数をかける方法である。以下、図９のフローチャートを用いて説明する。ステップS101で係数kをグレー領域のプロファイルの要素の彩度値に対してかける。例えば、調整前要素の彩度値が5の場合、0.8をかけて彩度値4にする。ステップS102で調整したプロファイルでグレーの色票のデバイスRGBを変換する。ステップS103では変換した値と色票の測色値とを比較し、測色値よりも変換した値の方が小さければ（ステップS103でY）、プロファイルの調整を終了する。測色値よりも変換した値の方が大きければ（ステップS103でY）、ステップS104で係数値kの値を小さくする。例えばk=0.6。以下、ステップS101から繰り返すことでプロファイルの調整を行う。
【図面の簡単な説明】
【００１９】
【図１】D50光源と冷陰極管ランプの分光特性を表した図。
【図２】XYZとスキャナセンサの分光感度特性を表した図。
【図３】プロファイルによる変換を表した図。
【図４】色票のスキャナデバイスRGBを得ることを表した図。
【図５】色票の測色値を表した図。
【図６】スキャナプロファイルの要素をL*a*b*空間に示した図。
【図７】図６のグレー領域を抜き出した図。
【図８】スキャナプロファイルの調整方法を表した図。
【図９】フローチャート。
【図１】
2008312117.tif 000003
【図２】
2008312117.tif 000004
【図３】
2008312117.tif 000005
【図４】
2008312117.tif 000006
【図５】
2008312117.tif 000007
【図６】
2008312117.tif 000008
【図７】
2008312117.tif 000009
【図８】
2008312117.tif 000010
【図９】
2008312117.tif 000011